(57)【要約】【課題】利用者にとって利用し易い広告システムを提供すること。【解決手段】端末５００とサーバ２００を含む広告システム１００であって、サーバ２００が、端末５００と通信可能な通信部２１０と、グループ分けされた広告情報を前記グループごとに管理する広告管理部２３０と、広告管理部２３０において管理されている前記広告情報のグループごとに、前記広告情報のグループに対応するメールアドレスを端末５００の利用者に付与するメールアドレス付与部２２１と、を含み、前記グループに基づく前記広告情報が前記メールアドレスに通信部２１０を介して送信される広告システム１００を提供する。【選択図】図３
2018046570.tif 000002
【特許請求の範囲】
【請求項１】
端末とサーバを含む広告システムであって、
前記サーバが、
前記端末と通信可能な通信部と、
グループ分けされた広告情報を前記グループごとに管理する広告管理部と、
前記広告管理部において管理されている前記広告情報のグループごとに、前記広告情報のグループに対応するメールアドレスを前記端末の利用者に付与するメールアドレス付与部と、を含み、
前記グループに基づく前記広告情報が前記メールアドレスに前記通信部を介して送信される広告システム。
【請求項２】
前記端末の利用者に少なくとも１以上のメールアドレスが付与される請求項１の広告システム。
【請求項３】
端末とサーバを含む広告システムのプログラムであって、
前記サーバが、
前記端末と通信可能な通信処理と、
グループ分けされた広告情報をグループごとに管理する広告管理処理と、
前記広告管理処理において管理されている前記広告情報のグループごとに、前記広告情報のグループに対応するメールアドレスを前記端末の利用者に付与するメールアドレス付与処理と、を含み、
前記グループに基づく前記広告情報が前記メールアドレスに前記通信処理を介して送信される広告システムのプログラム。
【請求項４】
前記端末の利用者に少なくとも１以上のメールアドレスが付与される請求項３の広告システムのプログラム。
【請求項５】
端末とサーバを含む広告システムの方法であって、
広告情報のグループごとに、前記広告情報のグループに対応するメールアドレスを前記端末の利用者に付与するメールアドレス付与工程と、
前記グループに基づく前記広告情報が前記メールアドレスに送信される広告情報送信工程と、を含む広告システムの方法。
【発明の詳細な説明】
【技術分野】
【０００１】
本発明は、メール配信による広告システム、広告システムプログラム及び広告システム方法に関する。
【背景技術】
【０００２】
近年、インターネット、パソコン通信等の通信ネットワークの普及に伴い、プロバイダ（インターネット接続事業者）、パソコン通信事業者等を介したメールの送受信サービスが急速に普及している。
【０００３】
そして、デジタル端末の高速パケット通信サービスにより、スマートフォン等の携帯電話、タブレット、ノートパソコン等の端末を利用したメールによる広告の配信が行われている。
【０００４】
また、ＳＮＳ（Ｓｏｃｉａｌ  Ｎｅｔｗｏｒｋｉｎｇ  Ｓｅｒｖｉｃｅ）やＨＰ（Ｈｏｍｅ  Ｐａｇｅ）上にバナー広告が掲載されたり、ＳＮＳを利用して広告の配信が行われている。
【０００５】
特許文献１に係る発明は、「メール管理サーバが、利用顧客数が限定されたオリジナルフォームを利用するブランドメールのサービスを提供するＨＰを開設し、顧客は、ユーザ端末を介してこのＨＰにアクセスし、ブランドメールの利用登録を行う。そして、利用登録を行った顧客は、ユーザ端末を介してこのＨＰにアクセスして、顧客認証を受けた後に、所望のオリジナルフォームを選択し、送信先のメールアドレス、及び文字メッセージを入力して、メール管理サーバ１０に送信する。そして、メール管理サーバは、ユーザ端末から受信した情報に基づいてブランドメールを生成し、送信先に送信する。」というものである。
【先行技術文献】
【特許文献】
【０００６】
【特許文献１】特開２００２−２８８０８０号公報
【発明の概要】
【発明が解決しようとする課題】
【０００７】
従来は、ブロクやＨＰ等のＷｅｂサイトに掲載されたバナー広告を利用者が選択（クリック）して、広告にアクセスし、利用者が自己の所有するメールアドレスを所定のところに記載することにより、メールマガジン（メルマガ）等の広告メールが送られていた。
【０００８】
しかしながら、特許文献１に係る発明を含む上記内容は、利用者である顧客がすでに所有しているメールアドレスを登録する必要があった。
【０００９】
そのため、利用者は受信フォルダに様々なメールを受信することになり、不要なメールを１件１件削除しなければならず、利用者にとって煩わしいという問題があった。
【００１０】
また、利用者はメールソフト（メールアプリ）により仕分けの設定をすることも可能であるが、仕分けの設定をするのが煩わしいという問題もあった。
【００１１】
また、利用者が不要と思うメールが多数届く場合があり、その場合配信停止の手続きをメール１件１件しなければならず、利用者にとって煩わしいという問題があった。
【００１２】
そして、このような広告方法は、広告主にとって不要な広告を利用者に送信することになり、広告料が無駄になるという問題があった。また、このような広告は、利用者にとって迷惑メールとなることがあり、企業イメージを損なわれるおそれがあるという問題があった。
【００１３】
また、ＳＮＳやＨＰを活用した広告の場合、不特定多数又は特定多数の人々に対して閲覧させることができるが、閲覧者にとっては不要な情報も多く、閲覧者にとって迷惑行為に該当することがあった。
【００１４】
そのため、企業イメージが損なわれるおそれがあるという問題があった。
【００１５】
本発明の目的は、利用者にとって利用し易い広告システムを提供することである。
【００１６】
本発明の他の目的は、広告主にとって利用し易い広告システムを提供することである。
【００１７】
本発明の他の目的は、広告メール配信主にとって利用し易い広告システムを提供することである。
【課題を解決するための手段】
【００１８】
本発明の第１の局面に係る広告システムは、端末とサーバを含む広告システムであって、
前記サーバが、
前記端末と通信可能な通信部と、
グループ分けされた広告情報を前記グループごとに管理する広告管理部と、
前記広告管理部において管理されている前記広告情報のグループごとに、前記広告情報のグループに対応するメールアドレスを前記端末の利用者に付与するメールアドレス付与部と、を含み、
前記グループに基づく前記広告情報が前記メールアドレスに前記通信部を介して送信される広告システムである。
【００１９】
このような広告システムであれば、利用者は、例えば「美容」や「アパレルブランド」といったテーマやキーワードごとにメールアドレスを取得する。
【００２０】
そして、そのメールアドレスごとに、例えば「美容」や「アパレルブランド」といったテーマやキーワードに基づいた広告が送信される。
【００２１】
そのため、利用者（メールアドレスを取得する者）は、メールアドレスごとに広告が振り分けられているため、必要な情報を確認し易い。
【００２２】
また、利用者は、例えば「美容」や「アパレルブランド」といったテーマやキーワードの広告が不要となった場合、そのメールアドレスを削除すればよく、広告メールごとに１件1件配信停止の作業をしなくてよい。
【００２３】
広告主や広告メール配信主にとっては、メールアドレスがいくつ付与されたかで広告料を決めることができ、広告料の算定が明確になるというメリットがある。
【００２４】
また、広告主や広告メール配信主にとっては、利用者に不要な広告を送信せずにすみ、迷惑メールとなりにくく、企業イメージの低下を防止できる。
【００２５】
また、広告主にとっては、利用者のニーズに合わせた広告をすることができ、不要な広告をしなくてすみ、広告料を抑えることができる。
【００２６】
本発明の第２の局面に係る広告システムは、第１の局面に係る広告システムであって、前記端末の利用者に少なくとも１以上のメールアドレスが付与される広告システムである。
【００２７】
利用者は、例えば「美容」や「アパレルブランド」といったテーマやキーワードごとにメールアドレスを取得することができるため、テーマやキーワードごとに複数のメールアドレスを取得する。
【００２８】
利用者は、メールアドレスごとに広告が振り分けられているため、必要な情報を確認し易い。
【００２９】
本発明の第３の局面に係る広告システムのプログラムは、端末とサーバを含む広告システムのプログラムであって、
前記サーバが、
前記端末と通信可能な通信処理と、
グループ分けされた広告情報をグループごとに管理する広告管理処理と、
前記広告管理処理において管理されている前記広告情報のグループごとに、前記広告情報のグループに対応するメールアドレスを前記端末の利用者に付与するメールアドレス付与処理と、を含み、
前記グループに基づく前記広告情報が前記メールアドレスに前記通信処理を介して送信される広告システムのプログラムである。
【００３０】
このような広告システムのプログラムであれば、利用者は、例えば「美容」や「アパレルブランド」といったテーマやキーワードごとにメールアドレスを取得する。
【００３１】
そして、そのメールアドレスごとに、例えば「美容」や「アパレルブランド」といったテーマやキーワードに基づいた広告が送信される。
【００３２】
そのため、利用者（メールアドレスを取得する者）は、メールアドレスごとに広告が振り分けられているため、必要な情報を確認し易い。
【００３３】
また、利用者は、例えば「美容」や「アパレルブランド」といったテーマやキーワードの広告が不要となった場合、そのメールアドレスを削除すればよく、広告メールごとに１件1件配信停止の作業をしなくてすむ。
【００３４】
広告主や広告メール配信主にとっては、メールアドレスがいくつ付与されたかで広告料を決めることができ、広告料の算定が明確になるというメリットがある。
【００３５】
また、広告主や広告メール配信主にとっては、利用者に不要な広告を送信せずにすみ、迷惑メールとなりにくく、企業イメージの低下を防止できる。
【００３６】
また、広告主にとっては、利用者のニーズに合わせた広告をすることができ、不要な広告をしなくてすみ、広告料を抑えることができる。
【００３７】
本発明の第４の局面に係る広告システムのプログラムは、第３の局面に係るプログラムであって、前記端末の利用者に少なくとも１以上のメールアドレスが付与される広告システムのプログラムである。
【００３８】
利用者は、例えば「美容」や「アパレルブランド」といったテーマやキーワードごとにメールアドレスを取得することができるため、テーマやキーワードごとに複数のメールアドレスを取得する。
【００３９】
利用者は、メールアドレスごとに広告が振り分けられているため、必要な情報を確認し易い。
【００４０】
本発明の第５の局面に係る広告システムの方法は、端末とサーバを含む広告システムの方法であって、
広告情報のグループごとに、前記広告情報のグループに対応するメールアドレスを前記端末の利用者に付与するメールアドレス付与工程と、
前記グループに基づく前記広告情報が前記メールアドレスに送信される広告情報送信工程と、を含む広告システムの方法である。
【００４１】
このような広告システムの方法であれば、利用者は、例えば「美容」や「アパレルブランド」といったテーマやキーワードごとにメールアドレスを取得する。
【００４２】
そして、そのメールアドレスごとに、例えば「美容」や「アパレルブランド」といったテーマやキーワードに基づいて広告が送信される。
【００４３】
そのため、利用者（メールアドレスを取得する者）は、メールアドレスごとに広告が振り分けられているため、必要な情報を確認し易い。
【００４４】
また、利用者は、例えば「美容」や「アパレルブランド」といったテーマやキーワードの広告が不要となった場合、そのメールアドレスを削除すればよく、広告メールごとに１件1件配信停止の作業をしなくてすむ。
【００４５】
広告主や広告メール配信主にとっては、メールアドレスがいくつ付与されたかで広告料を決めることができ、広告料の算定が明確になるというメリットがある。
【００４６】
また、広告主や広告メール配信主にとっては、利用者に不要な広告を送信せずにすみ、迷惑メールとなりにくく、企業イメージの低下を防止できる。
【００４７】
また、広告主にとっては、利用者のニーズに合わせた広告をすることができ、不要な広告をしなくてすみ、広告料を抑えることができる。
【図面の簡単な説明】
【００４８】
【図１】本発明に係る一実施形態における広告システムの概略図。
【図２】本発明に係る一実施形態における広告システムの概略図。
【図３】本発明に係る一実施形態における広告システムの概略図。
【図４】本発明に係る一実施形態における広告システムのフローチャート。
【発明を実施するための形態】
【００４９】
以下、本発明に係る広告システム１００の実施形態に関して図面を参照しながら説明する。
【００５０】
図１に示すように、本実施形態に係る広告システム１００は、サーバ２００と、
サーバ２００にアクセスすることが可能な端末である第１端末３００と、
サーバ２００によってＷｅｂ上に表示されるＷｅｂサイト４００と、
Ｗｅｂサイト４００にアクセスすることが可能な端末である第２端末５００と、を含む。
【００５１】
（サーバ２００）
サーバ２００は、ネットワーク上のコンピュータの中で、他のコンピュータ（本実施形態では第１端末３００）から要求や指示を受け、情報や処理結果を返す役割を持つコンピュータである。
【００５２】
なお、サーバ２００は、クラウド上に構築されたサーバであってもよい。クラウドサーバとは、インターネットを通じてサーバ機能を利用することができるものである。
【００５３】
サーバ２００は、第１端末３００及び第２端末５００がインターネットで接続可能な通信部２１０と、
グループ分けされた広告情報（例えば、広告情報Ａ、広告情報Ｂ、広告情報Ｃ等）に係るメールを、所定のメールアドレス（例えば、メールアドレスＭ、メールアドレスＮ、メールアドレスＯ等）に送信するメール管理部２２０と、
グループ分けされた広告情報（例えば、広告情報Ａ、広告情報Ｂ、広告情報Ｃ等）をグループごとに管理する広告管理部２３０と、を含む。
【００５４】
通信部２１０は、第１端末３００及び第２端末５００と通信する。通信方法は、有線、無線いずれであってもよい。また、図２に示すように、第１端末３００及び第２端末５００は、複数あってもよい。
【００５５】
メール管理部２２０は、メールアドレス付与部２２１を含む。メールアドレス付与部２２１は、第２端末５００の利用者がメールアドレスを使用できるようにする。
【００５６】
第２端末５００の利用者がＷｅｂサイト４００にアクセスして、「メールアドレスを発行する」等のタグを選択（クリック）することにより、メールアドレスが発行される。
【００５７】
メールアドレス付与部２２１は、第２端末５００の利用者の個人情報、及び、広告情報のグループに基づいて、第２端末５００の利用者にメールアドレスを付与する。
【００５８】
つまり、メールアドレス付与部２２１は、広告情報のグループごとに、広告情報のグループに対応するメールアドレスを、第２端末５００の利用者に付与する。
【００５９】
例えば、第２端末５００の利用者が、欲しい情報に関連する広告情報Ａを送信してほしい場合、Ｗｅｂサイト４００にアクセスして、「メールアドレスを発行する」等のタグを選択（クリック）することにより、広告情報Ａに対応したメールアドレスＭが第２端末５００の利用者に発行される。  
【００６０】
また、第２端末５００の利用者は、広告情報Ａとは異なる広告情報Ｂの広告を送信してほしい場合（例えば、広告情報Ａが「美容」、広告情報Ｂが「アパレルブランド」の場合）は、再度Ｗｅｂサイト４００にアクセスして、「メールアドレスを発行する」等のタグを選択（クリック）し、メールアドレスＮを取得する。
【００６１】
第２端末５００の利用者が、広告情報Ａ及び広告情報Ｂ以外の広告情報Ｃの広告を送信してほしい場合（例えば、広告情報Ａが「美容」、広告情報Ｂが「アパレルブランド」、広告情報Ｃが「飲食店」の場合）は、上記と同様に、再度Ｗｅｂサイト４００にアクセスして、「メールアドレスを発行する」等のタグを選択（クリック）し、メールアドレスＯを取得する。
【００６２】
メール管理部２２０は、第１端末３００から要求されたメールを所定のメールアドレスに送信する。そして、第２端末５００の利用者が、メールアプリ（第２メールアプリ５２０）を利用して、メールアドレスに基づくメールフォルダを開くことにより、メール内容が表示される。
【００６３】
なお、Ｗｅｂサイト４００にアクセスすることにより、メールアドレスに基づくメールフォルダを開けるようにしてもよい。
【００６４】
つまり、第２端末５００の利用者が、Ｗｅｂサイト４００にアクセスすることにより、第２端末５００の第２表示部５３０にメール内容が表示される。
【００６５】
メール管理部２２０では、メール設定を行うことができる。つまり、第１端末３００の利用者は、メール管理部２２０でメール設定を行う。
【００６６】
なお、本実施形態におけるメールはＷｅｂメールである。Ｗｅｂメールとは、Ｗｅｂブラウザを使って操作可能なメールのことである。Ｗｅｂメールを使用することにより、第２端末５００の利用者は、スマートフォン、タブレット、パソコン等の複数の第２端末５００にＷｅｂメールを表示することができる。
【００６７】
本実施形態では、第２端末５００の利用者は、Ｗｅｂサイト４００にアクセスして所定のメールフォルダを開くことができるとしているが、Ｗｅｂサイト４００ではなく他のＷｅｂサイトであってもよい。
【００６８】
なお、第２端末５００のメール設定によって、サーバ２００から送信されたメールアドレスに送られたメールが、第２端末５００に直接受信できるようにしてもよい。
【００６９】
この場合であっても第２端末５００の第２表示部５３０にメール内容が表示される。また、本実施形態ではＷｅｂメールであるが、Ｗｅｂメールでなくてもよい。
【００７０】
広告管理部２３０は、グループ分けされた広告情報をグループごとに管理するところである。グループ分けされている関連する広告情報は、対応するメールアドレスに送信される。
【００７１】
つまり、図３に示すように、例えば「美容」に関する広告情報Ａが、情報ａ１、情報ａ２、情報ａ３であった場合、情報ａ１、情報ａ２、情報ａ３は、メールアドレスＭに送信される。
【００７２】
同様に、例えば「アパレルブランド」に関する広告情報Ｂが、情報ｂ１、情報ｂ２、情報ｂ３であった場合、情報ｂ１、情報ｂ２、情報ｂ３は、メールアドレスＮに送信される。
【００７３】
同様に、例えば「飲食店」に関する広告情報Ｃが、情報ｃ１、情報ｃ２、情報ｃ３であった場合、情報ａ１、情報ａ２、情報ａ３は、メールアドレスＯに送信される。
【００７４】
なお、メールは、例えば情報ａ１、情報ａ２、情報ａ３を１件のメールで送信してもよいが、複数件にまたがって送信してもよい。
【００７５】
つまり、本実施形態では、図３に示すように、広告情報ＡはメールアドレスＭに、広告情報ＢはメールアドレスＮに、広告情報ＣはメールアドレスＯに、送信される。
【００７６】
本実施形態では第１端末３００の利用者が広告情報のグループ分けをする。
【００７７】
なお、広告管理部２３０が広告情報を自動で振り分けをしてグループ分けをしてもよい。この場合、広告管理部２３０は、広告情報で使用されているテーマやキーワードに基づいてグループ分けをしてもよい。
【００７８】
記憶部２４０は、広告情報、メールアドレス、第２端末５００の利用者の個人情報、Ｗｅｂサイト４００の情報、メールの内容等を記憶するところである。
【００７９】
（第１端末３００）
端末である第１端末３００は、サーバ２００にアクセスするため、インターネットにアクセスするための通信機能である第１通信部３１０と、
サーバ２００を介してメールを送受信するアプリケーションである第１メールアプリ３２０と、
広告情報等を表示する第１表示部３３０と、
広告情報等を保存する第１記憶部３４０と、を含む。
【００８０】
第１端末３００の例としては、パソコン、スマートフォン（携帯電話）、タブレットが挙げられる。
【００８１】
第１通信部３１０は、インターネットをするための通信を行うところである。第１通信部３１０により、第１端末３００は、サーバ２００にアクセスすることができる。
【００８２】
なお、第１通信部３１０では、Ｗｉ−Ｆｉ（無線ＬＡＮ）又は有線ＬＡＮ等でインターネットにアクセスすることも含む。
【００８３】
第１メールアプリ３２０は、メールの送受信を行うアプリケーションである。
【００８４】
また、第１端末３００の利用者は、第１メールアプリ３２０によって、第２端末５００の利用者に対して付与したメールアドレスに広告メールを送信する。なお、広告メールはサーバ２００から直接送信されてもよい。
【００８５】
第１表示部３３０は、第１通信部３１０によってアクセスしたＷｅｂサイトやサーバ２００での設定内容を表示する。
【００８６】
第１記憶部３４０では、サーバ２００に保存されているＷｅｂサイトにアップロードするための広告情報等が保存される。
【００８７】
なお、第１端末３００の作業者は、広告情報等を第１端末３００の第１記憶部３４０に保存できるが、第１記憶部３４０に保存せずに、直接、サーバ２００にアップロードし、サーバ２００に保存してもよい。
【００８８】
広告情報には、割引情報、セール情報、イベント情報等が含まれる。
【００８９】
なお、広告情報は、文字情報だけでなく、画像情報、動画情報等であってもよく、それらを組み合わせた情報でもよい。また、広告情報は、ディスカウントサイト、オークションサイト、直営店サイト、インターネットサイト、イベントサイト等のＵＲＬ等であってもよい。
【００９０】
（Ｗｅｂサイト４００）
Ｗｅｂサイト４００は、アクセスした第２端末５００の利用者に対してメールアドレスＭを付与するところである。
【００９１】
第２端末５００の利用者が、Ｗｅｂサイト４００の「メールアドレスを発行する」といったタグを選択することにより、第２端末５００の利用者に対してメールアドレスが発行される。
【００９２】
また、本実施形態では、Ｗｅｂサイト４００にメールフォルダが表示されているが、別のＷｅｂサイトにメールフォルダが設けられていてもよい。
【００９３】
（第２端末５００）
端末である第２端末５００は、インターネットにアクセスするための通信機能である第２通信部５１０と、
メールアドレスのメールフォルダにアクセスすることができる第２メールアプリ５２０と、
メールアドレスのメールフォルダやメール内容が表示される第２表示部５３０と、を含む。
【００９４】
第２端末５００の例は、スマートフォン、ノートパソコン、デスクトップパソコン、タブレット等が挙げられる。
【００９５】
第２通信部５１０は、インターネットにアクセスするための通信を行うところである。第２通信部５１０により、第２端末５００は、Ｗｅｂサイト４００にアクセスすることができる。
【００９６】
第２メールアプリ５２０は、Ｗｅｂサイト４００にアクセスするためのアプリケーションソフトである。第２メールアプリ５２０が第２端末５００にダウンロードされることにより、第２端末５００の第２表示部５３０である画面上に、アプリ４２０のアイコン（図示しない）が表示される。
【００９７】
本実施形態では、第２メールアプリ５２０のアイコン（図示せず）が第２端末５００の第２表示部５３０に表示されている。第２端末５００の利用者は、第２メールアプリ５２０のアイコンを選択することにより、第２通信部５１０を介して、メールアドレスのメールフォルダに直接アクセスすることができる。
【００９８】
図２に示すように、第２端末５００は、複数あってもよい。図２では、第２端末５００が、第２端末５００ａ、第２端末５００ｂ、第２端末５００ｃ、第２端末５００ｄと複数ある。なお、第２端末５００の数は限定されない。
【００９９】
つまり、１以上の第２端末５００がサーバ２００にアクセスされてもよい。また、第１端末３００は複数であってもよい。
【０１００】
（広告システム１００のフローチャート）
図４を用いて、広告システム１００の一例についてフローチャートで説明する。
【０１０１】
第２端末５００の利用者がＷｅｂサイト４００にアクセスをする（ステップＳ１１）。
【０１０２】
第２端末５００の利用者がＷｅｂサイト４００の「メールアドレスを発行する」等のタグを選択（クリック）し、個人情報を入力する（ステップＳ１２）。
【０１０３】
第２端末５００の利用者がＷｅｂサイト４００の個人情報を入力する画面で個人情報を入力することにより、第２端末５００の利用者にメールアドレスが付与される。
【０１０４】
つまり、サーバ２００のメール管理部２２０のメールアドレス付与部２２１からメールアドレスが、第２端末５００の利用者に付与される（ステップＳ１３、メールアドレス付与工程）。
【０１０５】
メールアドレスは、広告情報のグループごとに付与される。したがって、１人の第２端末５００の利用者が複数のメールアドレスを保持してもよい。
【０１０６】
メールアドレスに送信されるメールは、あらかじめ第２端末５００の利用者が、例えば「美容」といった興味ある情報を登録しておくことにより、そのキーワードに関連する広告情報である。
【０１０７】
また、第２端末５００の利用者が事前に例えば「美容」といった興味ある情報を登録していなくても、第２端末５００の利用者が、例えば「美容」に関連する広告にアクセスした場合、そのアクセス情報に基づいて当該広告情報に関連する広告情報が、該当するメールアドレスにメールされてもよい。
【０１０８】
つまり、利用者が興味を示したことに関連する広告情報Ａが、メールアドレスに紐付けされており、当該広告情報がメールアドレスにメールされる。（ステップＳ１４）。
【０１０９】
例えば、第２端末５００の利用者が、アパレル関係の好きなブランド品のセール情報を事前に登録していた場合、その広告情報に関連する広告（広告情報Ａ）が、メールアドレスＭに対してメールされる。
【０１１０】
したがって、第２端末５００の利用者は、複数のＷｅｂサイトに登録しなくてもよい。また、他のＷｅｂサイトに登録したい場合、付与されたメールアドレスＭを登録すればよい。
【０１１１】
第２端末５００の利用者は、広告情報Ａとは別の情報に関連する広告情報Ｂを送信してほしい場合、再度、Ｗｅｂサイト４００にアクセスして、「メールアドレスを発行する」等のタグを選択（クリック）することにより、メールアドレスＮが付与される（ステップＳ１５）。
【０１１２】
これにより、第２端末５００の利用者は、広告情報Ａとは別の情報に関連する広告情報ＢをメールアドレスＮに送信してもらうことができる。
【０１１３】
つまり、第２端末５００の利用者は、例えば「美容」や「アパレルブランド」といったテーマやキーワードごとにメールアドレスを取得することができる。
【０１１４】
同様に、第２端末５００の利用者は、広告情報Ａ及び広告情報Ｂとは別の情報に関連する広告情報Ｃを送信してほしい場合、再度、Ｗｅｂサイト４００にアクセスして、「メールアドレスを発行する」等のタグを選択（クリック）することにより、メールアドレスＯが付与される（ステップＳ１６）。
【０１１５】
第２端末５００の利用者は、広告情報Ａが不要となれば、メールアドレスＭを削除することにより、広告情報Ａを受信しないですむ。
【０１１６】
同様に、第２端末５００の利用者は、広告情報Ｂが不要となれば、メールアドレスＮを削除することにより、広告情報Ｂを受信しないですむ。
【０１１７】
同様に、第２端末５００の利用者は、広告情報Ｃが不要となれば、メールアドレスＯを削除することにより、広告情報Ｃを受信しないですむ。
【０１１８】
したがって、第２端末５００の利用者は、広告メール各々に対して配信停止の登録手続きをせずにすむ。
【０１１９】
また、広告主にとっては、第２端末５００の利用者にとって不要な広告を配信せずにすみ、迷惑メール等にならず、企業イメージの低下を防止することができる。
【０１２０】
また、第１端末３００の利用者は、メールアドレス（例えば、メールアドレスＭ、メールアドレスＮ、メールアドレスＯ）を発行した数に基づいて、広告主に対して広告料を請求することができる。
【０１２１】
そのため、広告費用が明確となり、広告メールを配信する第１端末３００の利用者及び広告主の双方にとってメリットがある。
【０１２２】
本発明は、その趣旨を逸脱しない範囲で種々の改良、修正、又は変形を加えた態様でも実施できる。
【符号の説明】
【０１２３】
１００…広告システム
２００…サーバ
２１０…通信部
２２０…メール管理部
２２１…メールアドレス付与部
２３０…広告情報部
２４０…記憶部
３００…第１端末（端末）
３１０…第１通信部
３２０…第１メールアプリ
３３０…第１表示部（表示部）
４００…Ｗｅｂサイト
５００…第２端末（端末）
５１０…第２通信部
５２０…第２メールアプリ
５３０…第２表示部（表示部）
【図１】
2018046570.tif 000003
【図２】
2018046570.tif 000004
【図３】
2018046570.tif 000005
【図４】
2018046570.tif 000006
【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
第１端末及び第２端末とサーバとを含む広告システムであって、
前記サーバが、
前記第１端末及び前記第２端末と通信可能な通信部と、
前記第１端末からグループを指定してアップロードされ、グループ分けされた広告情報を前記グループごとに管理する広告管理部と、
前記広告管理部において管理されている前記広告情報のグループごとに、前記広告情報のグループに対応するメールアドレスを前記第２端末の利用者に付与するメールアドレス付与部と、を含み、
前記グループに基づく前記広告情報が前記メールアドレスに前記通信部を介して送信される広告システム。
【請求項２】
前記端末の利用者に少なくとも１以上のメールアドレスが付与される請求項１の広告システム。
【請求項３】
第１端末及び第２端末とサーバとを含む広告システムのプログラムであって、
前記サーバが、
前記第１端末及び前記第２端末と通信可能な通信処理と、
前記第１端末からグループを指定してアップロードされ、グループ分けされた広告情報をグループごとに管理する広告管理処理と、
前記広告管理処理において管理されている前記広告情報のグループごとに、前記広告情報のグループに対応するメールアドレスを前記第２端末の利用者に付与するメールアドレス付与処理と、を含み、
前記グループに基づく前記広告情報が前記メールアドレスに前記通信処理を介して送信される広告システムのプログラム。
【請求項４】
前記端末の利用者に少なくとも１以上のメールアドレスが付与される請求項３の広告システムのプログラム。
【請求項５】
第１端末及び第２端末とサーバとを含む広告方法であって、
前記第１端末からグループを指定してアップロードされ、広告情報のグループごとに、前記広告情報のグループに対応するメールアドレスが、前記第２端末の利用者に付与されるメールアドレス付与工程と、
前記グループに基づく前記広告情報が前記メールアドレスに送信される広告情報送信工程と、を含む広告方法。
【手続補正２】
【補正対象書類名】明細書
【補正対象項目名】００７３
【補正方法】変更
【補正の内容】
【００７３】
同様に、例えば「飲食店」に関する広告情報Ｃが、情報ｃ１、情報ｃ２、情報ｃ３であった場合、情報ｃ１、情報ｃ２、情報ｃ３は、メールアドレスＯに送信される。
【手続補正３】
【補正対象書類名】図面
【補正対象項目名】図１
【補正方法】変更
【補正の内容】
【図１】
2018046570.tif 000007